(57)【要約】      （修正有）【課題】医用画像において着目したい画素部分が重なってしまう場合に、当該画素部分が重ならないように自動的に設定できるようにし、観察が容易な向きで医用画像を表示可能な医用画像診断装置、及び画像処理パラメータ設定方法を提供する。【解決手段】３次元画像データを記憶する記憶部１２と、３次元画像データを各種処理して複数の処理画像を作成する演算処理部１３と、処理画像を表示する表示部１５と、表示部に表示された処理画像上で、各種パラメータの値の設定入力をおこなうための入力部と、を備え、演算処理部は、３次元画像データを用いて投影画像を作成し、表示した画像の各画素から、投影方向に最大ピーク画素値と第２位のピーク画素値を検出して、その画素値差が最大となる投影方向に画像表示を修正することを特徴とする。【選択図】図１Ａ
2014135992.tif 000002
【特許請求の範囲】
【請求項１】
３次元画像データを記憶する記憶部と、
前記３次元画像データを各種処理して複数の処理画像を作成する演算処理部と、
前記処理画像を表示する表示部と、
前記表示部に表示された前記処理画像上で、各種パラメータの値の設定入力を行なうための入力部と、を備え、
前記演算処理部は、前記３次元画像データを用いて投影処理された投影画像を作成し、該投影画像中の高信号値を有する領域における投影方向の重なり具合を評価する機能を有する
ことを特徴とする医用画像診断装置。
【請求項２】
前記演算処理部は、前記投影画像を構成する画素ごとに、前記各画素の投影方向に位置する前記３次元画像データの中から、最大画素値を有する第１の画素値と該第１の画素値の次に大きい画素値を有する第２の画素値とを抽出し、
前記第１の画素値と前記第２の画素値の差分を算出し前記投影画像を構成する画素全体に亘って前記差分の総和を求め、
前記差分の総和に基づいて前記投影画像中の高信号値を有する領域における前記重なり具合の評価を行う
ことを特徴とする請求項１に記載の医用画像診断装置。
【請求項３】
前記演算処理部は、前記差分の総和を、前記記憶部に予め設定された閾値と比較して、前記総和が前記閾値より大きい場合に、前記重なり具合が少ないと判定する
ことを特徴とする請求項２に記載の医用画像診断装置。
【請求項４】
前記演算処理部は、前記差分の総和を異なる複数の投影面に対して算出し、算出されたそれぞれの総和の中から最大の総和を有する投影面を重なり具合が少ない投影面と判定する
ことを特徴とする請求項２に記載の医用画像診断装置。
【請求項５】
前記演算処理部は、前記差分の総和を一つの投影面と他の一つの投影面に対して算出し、算出されたそれぞれの差分の総和を比較し、該差分の総和が大きい方の投影面の投影方向を選択する
ことを特徴とする請求項２に記載の医用画像診断装置。
【請求項６】
前記演算処理部は、操作者により前記投影画像の中から設定された着目領域に対して、前記着目領域を構成する画素ごとに、前記各画素の投影方向に位置する前記３次元画像データの中から画素値を抽出し、抽出された前記画素値に基づいて前記着目領域について重なり具合を評価し、
前記評価により前記高信号値を有する領域が重なっていた場合に、前記投影画像の投影方向を変更し表示する
ことを特徴とする請求項１に記載の医用画像診断装置。
【請求項７】
前記演算処理部は、前記３次元画像データを用いて、操作者により設定された複数の画素からなる画素サイズを１画素とみなして投影処理された投影画像を作成し、前記投影画像を低解像度にして、該投影画像中の高信号値を有する領域の重なり具合を評価し、
前記高信号値を有する領域が重なっていた場合に、前記投影画像の投影方向を変更し、
投影方向を変更した投影画像の解像度を前記低解像度にする前の解像度に戻して表示する
ことを特徴とする請求項１に記載の医用画像診断装置。
【請求項８】
前記演算処理部は、前記差分の総和と前記記憶部に予め設定された閾値と比較して、前記総和が前記閾値より小さい場合には、高信号値を有する領域の重なりの可能性がある旨のメッセージを操作者に対して提示する
ことを特徴とする請求項２に記載の医用画像診断装置。
【請求項９】
医用画像診断装置に具備された演算処理部を用いて３次元画像データを各種処理して複数の処理画像を作成する第１ステップと、
前記３次元画像データを用いて投影処理された投影画像を作成する第２ステップと、
前記投影画像を構成する画素に対応して投影方向に位置する前記３次元画像データの中から、最大画素値を有する第１の画素値と該第１の画素値の次に大きい画素値を有する第２の画素値とを抽出する第３ステップと、
前記投影画像を構成する画素全体に亘って算出した前記第１の画素値と前記第２の画素値の差分の総和を算出する第４ステップと、
前記差分の総和を基に、前記投影画像中の高信号値を有する領域の重なり具合を評価する第５のステップと、を有する
ことを特徴とする画像処理パラメータ設定方法。
【請求項１０】
前記第５のステップにおいて、前記差分の総和を、予め設定された閾値と比較して、前記総和が前記閾値より大きい場合に、前記重なり具合が少ないと判定する
ことを特徴とする請求項９に記載の画像処理パラメータ設定方法。
【請求項１１】
前記第５のステップにおいて、前記差分の総和を異なる複数の投影面に対して算出し、算出されたそれぞれの総和の中から最大の総和を有する投影面を重なり具合が少ないと判定する
ことを特徴とする請求項９に記載の画像処理パラメータ設定方法。
【請求項１２】
前記第１乃至５のステップを繰り返して行う場合、
前記第４のステップにおいて、一つの投影面に対して前記差分の総和を算出した第１の総和と、別の繰り返し時における前記第４のステップにおいて、他の一つの投影面に対して前記差分の総和を算出した第２の総和のそれぞれを比較し、該総和が小さい方の投影面の投影方向の角度を変更する
ことを特徴とする請求項９に記載の画像処理パラメータ設定方法。
【請求項１３】
前記投影方向の角度を変更は、予め設定された角度、又はユーザによる入力部からの角度設定に基づいて行われる
ことを特徴とする請求項１２に記載の画像処理パラメータ設定方法。
【発明の詳細な説明】
【技術分野】
【０００１】
本発明は、医用画像診断装置、及び画像処理パラメータ設定方法に係り、例えば、医用画像診断装置における撮像のための画像表示、画像処理、あるいは画像観察するための技術に関する。
【背景技術】
【０００２】
磁気共鳴イメージング（以下、ＭＲＩと称する）装置等の医用画像診断装置は、被検体から得た信号に基づいて被検体内部を画像化し、診断に供する装置である。この医用画像診断装置においては、被検体を撮像した画像を入力画像として画像処理を行い、撮像画像とは別の画像を生成出力する場合がある。例えば、特許文献１に記載されているように、サーフェースレンダリング法やボリュームレンダリング法によって作成した三次元画像に対して、任意の回転や任意の移動を行いながら、画像上で画像処理パラメータを指定して所望の画像処理結果を得る手法がある。
【先行技術文献】
【特許文献】
【０００３】
【特許文献１】特開２００１−１０１４５０号公報
【発明の概要】
【発明が解決しようとする課題】
【０００４】
特許文献１では、ＭＩＰ（Maximum Intensity Projection）画像をマウスポインターの操作によって、回転または移動を行うことができることが記載されている。しかしながら、ＭＩＰ画像について着目する部分が重なっていた場合に、通常の検査と同様の画像処理結果を得ようとすると、これらの画像上で設定する画像処理パラメータを再度設定又は変更する必要がある。
また、検査を簡単化するために、画像処理パラメータの値が固定されている場合は、着目する部分、例えば、血管等が重なった画像を得ることになり、通常の検査とは違った画像処理結果となり、画像処理結果を見誤る可能性がある。
【０００５】
上述した課題は、ＭＩＰ画像に限らず、他の医用画像における投影処理、例えば、ＭｉｎＩＰ（Minimum Intensity Projection）やレンダリングなどの投影処理手法においても生じるものである。
【０００６】
そこで、本発明の目的は、医用画像において着目したい画素部分が重なってしまう場合に、当該画素部分が重ならないように自動的に設定できるようにし、観察が容易な向きで医用画像を表示可能な医用画像診断装置、及び画像処理パラメータ設定方法を提供することである。
【課題を解決するための手段】
【０００７】
上記目的を達成するための本発明の主な特徴は、以下に示す通りである。
【０００８】
医用画像診断装置において、３次元画像データを記憶する記憶部と、３次元画像データを各種処理して複数の処理画像を作成する演算処理部と、処理画像を表示する表示部と、表示部に表示された処理画像上で、各種パラメータの値の設定入力をおこなうための入力部と、を備え、演算処理部は、３次元画像データを用いて投影画像を作成し、表示した画像の各画素から、投影方向に最大ピーク画素値と第２位のピーク画素値を検出して、その画素値差が最大となる投影方向に画像表示を修正することを特徴とする。
【発明の効果】
【０００９】
本発明によれば、医用画像において着目したい画素部分が重なってしまう場合に、当該画素部分を重ならないように自動的に設定できるようにし、観察が容易な向きで医用画像を表示可能な医用画像診断装置、及び画像処理パラメータ設定方法を提供できる。
【図面の簡単な説明】
【００１０】
【図１Ａ】本発明に係る医用画像診断装置の一例を示すブロック図。
【図１Ｂ】医用画像診断装置の一例であるＭＲＩ装置の全体構成の一例を示すブロック図。
【図２】実施例１の処理フローを表すフローチャート。
【図３】ＳＡＧ方向のＭＩＰ像の表示例を示す図。
【図４】ＭＩＰ像の画素ごとに奥行き方向に画素値をサーチする例を示す図。
【図５】ピークを抽出して最大ピーク画素値と第２位のピーク画素値を求める例を示す図。
【図６】ＳＡＧ方向のＭＩＰ像を、ＨＦ軸を中心に回転したＭＩＰ像の表示例を示す図。
【図７】実施例２の処理フローを表すフローチャート。
【図８】実施例３の処理フローを表すフローチャート。
【図９】実施例４の処理フローを表すフローチャート。
【発明を実施するための形態】
【００１１】
以下、添付図面に従って本発明の医用画像診断装置の好ましい実施形態について詳説する。なお、発明の実施形態を説明するための全図において、同一機能を有するものは同一符号を付け、その繰り返しの説明は省略する。
【００１２】
最初に、本発明に係る医用画像診断装置の一例を図１Ａに基づいて説明する。本発明に係る医用画像診断装置は、被検体の画像を画像再構成するために該被検体から信号データを検出するスキャナー部１１と、スキャナー部１１で検出した信号データを記憶する記憶部１２と、記憶部１２に記憶された信号データを用いて画像再構成処理を行って画像を取得し、再構成した画像について投影処理（例えば、ＭＩＰ処理）やＭＰＲ（Multi-Planar Reformation）処理を含む各種演算を行った結果に画像を取得すると共に、処理後の画像データを記憶部１２に記憶させる演算処理部１３と、操作者が演算処理部１３に対し各種指示情報を設定入力するための操作部１４と、演算処理部１３で処理された画像や操作入力を行なうためのＵＩ（User Interface）を表示する表示部１５と、を有してなる。また、記憶部１２における各種画像データは、記憶部１２内の画像データベースにその画像データを登録することにより記憶される。
【００１３】
次に、本発明に係る医用画像診断装置の一例として、ＭＲＩ装置の一例の全体構成を図１Ｂに基づいて説明する。なお、本発明はＭＲＩ装置に限定されず、Ｘ線ＣＴ装置やＰＥＴ装置等の他の医用画像診断装置にも適用可能である。
【００１４】
図１Ｂは、本発明に係るＭＲＩ装置の一実施例の全体構成を示すブロック図である。このＭＲＩ装置は、ＮＭＲ現象を利用して被検体１０１の断層画像を得るものである。
図１Ｂに示すように、静磁場発生磁石１０２と、傾斜磁場コイル１０３及び傾斜磁場電源１０９と、送信ＲＦコイル１０４及びＲＦ送信部１１０と、受信ＲＦコイル１０５及び信号検出部１０６と、信号処理部１０７と、計測制御部１１１と、全体制御部１０８と、表示・操作部１１３と、被検体１０１を搭載してその被検体１０１を静磁場発生磁石１０２の内部に出し入れするベッド１１２と、を備えて構成される。
【００１５】
静磁場発生磁石１０２は、垂直磁場方式であれば被検体１０１の体軸と直交する方向に、水平磁場方式であれば体軸方向に、それぞれ均一な静磁場を発生させるもので、被検体１０１の周りに永久磁石方式、常電導方式あるいは超電導方式の静磁場発生源が配置されている。
【００１６】
傾斜磁場コイル１０３は、ＭＲＩ装置の実空間座標系（静止座標系）であるＸ，Ｙ，Ｚの３軸方向に巻かれたコイルであり、それぞれの傾斜磁場コイルは、それを駆動する傾斜磁場電源１０９に接続され電流が供給される。具体的には、各傾斜磁場コイルの傾斜磁場電源１０９は、それぞれ後述の計測制御部１１１からの命令に従って駆動されて、それぞれの傾斜磁場コイルに電流を供給する。これにより、Ｘ，Ｙ，Ｚの３軸方向に傾斜磁場Ｇｘ，Ｇｙ，Ｇｚが発生する。
【００１７】
２次元スライス面の撮像時には、スライス面（撮像断面）に直交する方向にスライス傾斜磁場パルス（Ｇｓ）が印加されて被検体１０１に対するスライス面が設定され、そのスライス面に直交して且つ互いに直交する残りの２つの方向に位相エンコード傾斜磁場パルス（Ｇｐ）と周波数エンコード（リードアウト）傾斜磁場パルス（Ｇｆ）が印加されて、エコー信号にそれぞれの方向の位置情報がエンコードされる。本発明に係る３次元領域の撮像時の制御については後述する。
【００１８】
送信ＲＦコイル１０４は、被検体１０１にＲＦパルスを照射するコイルであり、ＲＦ送信部１１０に接続され高周波パルス電流が供給される。これにより、被検体１０１の生体組織を構成する原子の原子核スピンにＮＭＲ現象が誘起される。具体的には、ＲＦ送信部１１０が、後述の計測制御部１１１からの命令に従って駆動されて、高周波パルスが振幅変調され、増幅された後に被検体１０１に近接して配置された送信ＲＦコイル１０４に供給されることにより、ＲＦパルスが被検体１０１に照射される。
【００１９】
受信ＲＦコイル１０５は、被検体１０１の生体組織を構成する原子核スピンのＮＭＲ現象により放出されるＮＭＲ信号（エコー信号）を受信するコイルであり、信号検出部１０６に接続されて受信したエコー信号が信号検出部１０６に送られる。
【００２０】
信号検出部１０６は、受信ＲＦコイル１０５で受信されたエコー信号の検出処理を行う。具体的には、ＲＦ送信コイル１０４から照射されたＲＦパルスによって誘起された被検体１０１の応答のエコー信号が被検体１０１に近接して配置された受信ＲＦコイル１０５で受信され、後述の計測制御部１１１からの命令に従って、信号検出部１０６が、受信されたエコー信号を増幅し、直交位相検波により直交する二系統の信号に分割し、それぞれを所定数（例えば１２８，２５６，５１２等）サンプリングし、各サンプリング信号をＡ／Ｄ変換してディジタル量に変換し、後述の信号処理部１０７に送る。従って、エコー信号は所定数のサンプリングデータからなる時系列のデジタルデータ（以下、エコーデータという）として得られる。
【００２１】
信号処理部１０７は、エコーデータに対して各種処理を行い、処理されたエコーデータを計測制御部１１１に送る。
【００２２】
計測制御部１１１は、被検体１０１の断層画像の再構成に必要なデータ収集のための種々の命令を、主に、傾斜磁場電源１０９と、ＲＦ送信部１１０と、信号検出部１０６に送信してこれらを制御する制御部である。具体的には、計測制御部１１１は、後述する全体制御部１０８の制御で動作し、ある所定のパルスシーケンスに基づいて、傾斜磁場電源１０９、ＲＦ送信部１１０及び信号検出部１０６を制御して、被検体１０１へのＲＦパルスと傾斜磁場パルスの印加及び被検体１０１からのエコー信号の検出を繰り返し実行し、被検体１０１の撮像領域についての画像の再構成に必要なエコーデータを収集する。
【００２３】
全体制御部１０８は、計測制御部１１１の制御、及び、各種データ処理と処理結果の表示及び保存等の制御を行うものであって、ＣＰＵ及びメモリを内部に有する演算処理部１１４と、光ディスク、磁気ディスク等の記憶部１１５とを有して成る。具体的には、計測制御部１１１を制御してエコーデータの収集を実行させ、計測制御部１１１からのエコーデータが入力されると、演算処理部１１４がそのエコーデータに印加されたエンコード情報に基づいて、メモリのＫ空間に相当する領域に記憶させる。メモリのＫ空間に相当する領域に記憶されたエコーデータ群をＫ空間データともいう。そして演算処理部１１４はこのＫ空間データに対して信号処理やフーリエ変換による画像再構成等の処理を実行し、その結果である被検体１０１の画像を、後述の表示・操作部１１３に表示させると共に記憶部１１５に記録する。
【００２４】
表示・操作部１１３は、再構成された被検体１０１の画像を表示する表示部と、ＭＲＩ装置の各種制御情報や上記全体制御部１０８で行う処理の制御情報を入力するトラックボール又はマウス及びキーボード等の操作部と、から成る。この操作部は表示部に近接して配置され、操作者が表示部を見ながら操作部を通してインタラクティブにＭＲＩ装置の各種処理を制御する。
【００２５】
以下、医用画像診断装置としてＭＲＩ装置を例にして、本発明に係る各実施例を説明する。
【実施例１】
【００２６】
実施例１では、本発明の医用画像診断装置、及び画像処理パラメータ設定方法を説明する。より具体的には、本実施例では投影像について高信号値である部分の重なり度合いを検知し、その重なり度合いが所定値よりも大きい場合には、投影像の投影方向を修正し、重なり度合いを少なくして表示する医用画像診断装置、及び画像処理パラメータの設定方法を示す。
【００２７】
ここで、投影像を得るために、マルチスライス画像データ、又は３次元画像データを入力画像として用いる。
【００２８】
なお、本実施例では、投影像としてＭＩＰ（Maximum Intensity Projection）像の場合を例にして説明するが、本発明は、ＭＩＰ画像に限らず、他の医用画像における投影処理、例えば、ＭｉｎＩＰやレンダリングなどの投影処理手法においても同様に適用が可能である。
【００２９】
図２に、本実施例の処理フローをフローチャートに基づいて説明する。なお、本処理フローの説明では、画像処理パラメータの値を設定するための入力画像としてＭＩＰ像を用いる場合を説明する。また、画像処理パラメータとして投影方向、投影角、投影枚数などの投影パラメータを例にして本実施例の処理フローを説明する。ただし、本実施例はこれらに限定されない。
【００３０】
また、下記の処理フローは、図１Ａおよび１Ｂで示す装置において実行される。各ステップで実行される動作と装置の関係は、適宜説明する。
【００３１】
先ず、ステップ２０１で、操作者は画像データベースからＭＩＰ処理を行う画像シリーズを選択し、ＭＩＰ処理プログラムに入力画像を読み込ませる。
ここで、ＭＩＰ処理プログラムは、記憶部１１５に予め記憶されており、操作者は表示・操作部１１３から画像シリーズの選択を行い、入力画像を設定する。
【００３２】
次に、ステップ２０２で、操作者は投影像を作成する方向を指定する。
ここで、操作者は、表示・操作部１１３を見ながら、マウスあるいはキーボードなどから方向を指定する。
【００３３】
引き続き、ステップ２０３で、投影方向をもとに投影像を作成し、ディスプレイに表示する。
ここで、投影像は、表示・操作部１１３に表示される。その表示例を、図３に示す。本図では、ＳＡＧ（Sagittal）方向のＭＩＰ像を示している。
【００３４】
ステップ２０４で、表示された投影像の画素ごとに、投影方向の画素値をサーチする。図４に、投影像の画素ごとに、この画素に対応する奥行き方向に配列された３次元画像データの画素値をサーチした結果を示す。３次元画像データは、記憶部１１５に記憶されている画像データベースである。
ここで、画素値のサーチは、演算処理部１１４において実行される。なお、以降のステップにおける演算処理も同様に演算処理部１１４において実行される。
【００３５】
ステップ２０５では、ステップ２０４で得られた画素値の最大ピーク値と第２位のピーク値の値を検出する。
図５には、本ステップ２０５で実行された処理結果が図示されている。（ａ）は、縦軸に画素値を、横軸に奥行き方向を示し、各画素のピーク画素値を点で示している。（ｂ）は、（ａ）で示すピーク画素値の中から抽出した最大ピーク値と第２位のピーク値が示されている。
【００３６】
ステップ２０６で、画素ごとに最大ピーク値と第２位のピーク値の差を算出し、全画素に渡って算出された差の総和を算出する。ここで、算出した総和をDefと表記する。
このDefの値は、記憶部１１５に一時的に記憶される。
【００３７】
ステップ２０７で、ステップ２０６で得られたDefと閾値とを比較する。
ここで、閾値は、経験値、または学習機能を用いて集積された累積データに基づいて予め付与されているものとする。比較の結果、ステップ２０６で得られた結果が閾値よりも大きい場合（即ち、Def＞閾値の時）は、ＥＮＤへ進み、処理を終了する。一方、小さい場合（即ち、Def≦閾値の時）は、ステップ２０８の処理へ進む。
【００３８】
ステップ２０８で、ステップ２０６で得られたDefと判定値（maxDefと表記する。）を比較し、ステップ２０６で得られた結果（Def）が判定値（maxDef）よりも大きい場合（即ち、Def＞maxDefの時）は、ステップ２０９の処理を行う。小さい場合（即ち、Def≦maxDefの時）は、ステップ２１０の処理を行う。
ここで、前出の判定値（maxDef）を以下のように定義するものとする。ステップ２１１で分岐してステップ２０４へ進む処理を繰り返した場合に、繰り返し毎に、ステップ２０６で算出された結果（Def）の値を、前回に求めた結果（Def）の値と比較して、値の大きい方をmaxDefとする。このmaxDefを判定値と定義するものとする。
上記の処理の繰り返しにおいて、投影方向を変更しながら投影像の作成を行っている。従って、上記maxDefは、その繰り返し時点における最大のDef値を与える投影方向の情報が、一時的に記憶部に記憶されている。
【００３９】
ステップ２０９で、ステップ２０６で得られたDefを判定値（maxDef）に置き換え、置き換えた投影方向を推奨方向とする。
【００４０】
ステップ２１０で、投影方向を任意の角度分変更する。
ここで、変更する角度は、予め記憶部に設定しても良いし、適宜、入力部より条件を設定しても良い。
【００４１】
ステップ２１１で、投影方向が制限内か判定し、制限内の場合はステップ２０３の処理へ戻る。制限外の場合は、ステップ２１２の処理をする。
【００４２】
ステップ２１２で、推奨方向を投影方向としてＭＩＰ処理を行う。
本ステップで実行された結果を、図６に示す。本図では、ＳＡＧ方向のＭＩＰ像を、ＨＦ軸を中心に回転したＭＩＰ像の表示例を示している。図３では、一つの高信号値（例、血管画像）３０３と他の高信号値（例、血管画像）３０４とがほぼ重なって表示されているが、図６では、上記処理を行った結果、推奨方向から見た一つの高信号値（例、血管画像）３０５と、推奨方向から見た他の高信号値（例、血管画像）３０６との重なり具合が少なくなり、両者が区別しやすく見易く表示されていることが分かる。
【００４３】
上述した処理フローにおいて、ステップ２０７の分岐は必ずしも必要ではなく、省くことも可能である。ただし、閾値を用いることにより、処理フローにおける繰り返し演算回数を低減でき、処理時間および処理コストの面で有効である。
【００４４】
以上で本実施例の処理フローを説明したように、本実施例の医用画像診断装置及び画像処理パラメータ設定方法は、投影像が意図した表示では無かった場合、即ち高信号値が重なっていた場合に、その重なり具合を判定し、投影像を作成する方向を回転させ、再表示する。その結果、高信号値の重なりを回避して、投影像の観察が容易になるという効果が得られる。
【実施例２】
【００４５】
次に、本発明の医用画像診断装置、及び画像処理パラメータ設定方法の実施例２を説明する。本実施例は、画素値をサーチする領域を操作者が決定し、その決定した領域の範囲で重なり度合いを判定する。
【００４６】
図７は、本実施例の処理フローをフローチャートに基づいて説明する。以下、前述の実施例１と同一箇所の説明は省略し、異なる箇所のみを説明する。
【００４７】
実施例１の処理フローと異なるステップは、ステップ７０２であり、図２に示すステップ２０２とステップ２０３の間で行なう。もう一つは、ステップ７０５であり、図２に示すステップ２０５の替わりに行う。これら以外のステップは、図２のステップと同様なので説明は省略する。
【００４８】
ステップ７０２では、操作者はＭＩＰ画像上で着目領域を指定する。
【００４９】
ステップ７０５では、着目領域の画素ごとに投影方向の画素値をサーチする。
【００５０】
以上で本実施例の処理フローを説明したように、本実施例の医用画像診断装置及び画像処理パラメータ設定方法は、投影像が意図した表示では無かった場合、即ち高信号値が重なっていた場合に、着目した領域について重なり具合を判定し、投影像を作成する方向を回転させ、再表示する。その結果、着目した領域の投影像の観察が容易になるという効果が得られる。
【実施例３】
【００５１】
次に、本発明の医用画像診断装置、及び画像処理パラメータ設定方法の実施例３を説明する。本実施例は、複数の画素をまとめて低解像度にして重なり具合を計算する。
【００５２】
図８は、本実施例の処理フローをフローチャートに基づいて説明する。以下、前述の各実施例と同一箇所の説明は省略し、異なる箇所のみを説明する。
【００５３】
実施例１の処理フローと異なるステップは、ステップ８０３、及びステップ８０４であり、図２に示すステップ２０２とステップ２０３の間で行なう。これら以外のステップは図２のステップと同様なので説明は省略する。
【００５４】
ステップ８０３では、操作者が投影方向の算出に用いるための画素サイズを設定する。
【００５５】
ステップ８０４では、ステップ８０３で設定した画素サイズを１画素と見立ててＭＩＰ処理を行う。
【００５６】
以上で本実施例の処理フローを説明したように、本実施例の医用画像診断装置及び画像処理パラメータ設定方法は、投影像が意図した表示では無かった場合、即ち高信号値が重なっていた場合に、画像を低解像度化して、着目した領域について重なり具合を判定し、投影像を作成する方向を回転させて決定し、もとの解像度で再表示する。その結果、高信号値の画素が近接せずに投影像の観察が容易になる。
【実施例４】
【００５７】
次に、本発明の医用画像診断装置、及び画像処理パラメータ設定方法の実施例４を説明する。本実施例は、高信号値の重なり具合を評価し、情報（警告）を提示する。
【００５８】
図９は、本実施例の処理フローをフローチャートに基づいて説明する。以下、前述の各実施例と同一箇所の説明は省略し、異なる箇所のみを説明する。
【００５９】
実施例１の処理フローと異なるステップは、ステップ９０７とステップ９０８であり、このステップは、図２に示すステップ２０７〜ステップ２１２の替わりに行う処理である。これら以外のステップは、図２のステップと同様なので説明は省略する。
【００６０】
ステップ９０７では、ステップ９０６で得られた結果（Def）と閾値を比較し、ステップ９０６で得られた結果（Def）が閾値よりも大きい場合は、処理を終了する。小さい場合は、ステップ９０８の処理をする。ここで、閾値は、経験値、または累積データに基づいて予め付与されているものとする。
【００６１】
ステップ９０８で、重なりの可能性がある旨のメッセージを表示する。
【００６２】
以上で本実施例の処理フローを説明したように、本実施例の医用画像診断装置及び画像処理パラメータ設定方法は、投影像が意図した表示では無かった場合、即ち高信号値が重なっていた場合に、操作者に対してメッセージを表示する。その結果、高信号値の画素が重なっている場合を操作者に気づかせて、操作者が投影方向を変更することを促し、投影像の観察が容易になるという効果が得られる。
【符号の説明】
【００６３】
１１…スキャナー部、１２…記憶部、１３…演算処理部、１４…操作部、１５…表示部、
１０１…被検体、１０２…静磁場発生磁石、１０３…傾斜磁場コイル、１０４…送信ＲＦコイル、１０５…受信ＲＦコイル、１０６…信号検出部、１０７…信号処理部、１０８…全体制御部、１０９…傾斜磁場電源、１１０…ＲＦ送信部、１１１…計測制御部、１１２…ベッド、１１３…表示・操作部、１１４…演算処理部、１１５…記憶部、
３０１…画面、３０２…画像領域、３０３…一つの高信号値（例、血管画像）、３０４…他の高信号値（例、血管画像）、３０５…推奨方向から見た一つの高信号値（例、血管画像）、３０６…推奨方向から見た他の高信号値（例、血管画像）。
【図１Ａ】
2014135992.tif 000003
【図１Ｂ】
2014135992.tif 000004
【図２】
2014135992.tif 000005
【図３】
2014135992.tif 000006
【図４】
2014135992.tif 000007
【図５】
2014135992.tif 000008
【図６】
2014135992.tif 000009
【図７】
2014135992.tif 000010
【図８】
2014135992.tif 000011
【図９】
2014135992.tif 000012